(57)【特許請求の範囲】
【請求項１】
下肢に装着されるアタッチメントと、
前記アタッチメントに取り付けられ、下腿の背面をマッサージする脚エアーバッグと、
足のくるぶしの下側かつ足の内側の部分をマッサージする内側足エアーバッグ、および、足のくるぶしの下側かつ足の外側の部分をマッサージする外側足エアーバッグと、を有し、
前記内側足エアーバッグおよび前記外側足エアーバッグが踵の背面と対向しないように前記脚エアーバッグから分岐し、前記内側足エアーバッグの内部の空間、および、前記外側足エアーバッグの内部の空間が、それぞれ、前記脚エアーバッグの内部の空間と繋げられている
エアーマッサージ装置。
【請求項２】
前記内側足エアーバッグ、前記外側足エアーバッグ、および、前記脚エアーバッグが、同一のエアーバッグの一部分である
請求項１に記載のエアーマッサージ装置。
【請求項３】
足の甲をマッサージする甲エアーバッグをさらに有し、
前記内側足エアーバッグおよび前記外側足エアーバッグと、前記甲エアーバッグとが、互いに分離している
請求項１または２に記載のエアーマッサージ装置。
【請求項４】
足の土踏まずをマッサージする足裏エアーバッグをさらに有し、
前記内側足エアーバッグおよび前記外側足エアーバッグと、前記足裏エアーバッグとが、互いに分離している
請求項１〜３のいずれか一項に記載のエアーマッサージ装置。
【請求項５】
下肢に装着された前記アタッチメントと下肢との間に挿入するための補助具をさらに有し、
前記補助具は、基盤、および、前記基盤の中央部分に形成されており、下肢に充てられる突起を有し、
前記突起は、前記アタッチメントに取り付けられる複数のエアーバッグのうちの少なくとも１つが膨張することに伴い、下肢に強く押し付けられる
請求項１〜４のいずれか一項に記載のエアーマッサージ装置。
【請求項６】
前記補助具に取っ手が形成されている
請求項５に記載のエアーマッサージ装置。
【請求項７】
請求項５または６に記載の補助具。
【発明の詳細な説明】
【技術分野】
【０００１】
本発明は、下肢をエアーバッグによりマッサージするエアーマッサージ装置、および、その装置によるマッサージを補助するための補助具に関する。
【背景技術】
【０００２】
従来のエアーマッサージ装置は、下肢をエアーバッグによりマッサージすることにより、脚のむくみを解消する等の効果をユーザーに提供する。特許文献１は、そのようなエアーマッサージ装置の一例を開示している。
【先行技術文献】
【特許文献】
【０００３】
【特許文献１】特開２０１４−８２２７号公報
【発明の概要】
【発明が解決しようとする課題】
【０００４】
本願発明者は、足に関する好ましいマッサージについて検討した。その結果から、足のくるぶしの下側をマッサージすることにより、ユーザーが快適なマッサージ感を覚えやすいことが確認された。一方、特許文献１のエアーマッサージ装置をはじめとする従来のエアーマッサージ装置によれば、このような足のマッサージに着目した機能は搭載されていない。
【０００５】
本発明の目的は、足に関する好ましいマッサージを実現するエアーマッサージ装置を提供することである。
【課題を解決するための手段】
【０００６】
本エアーマッサージ装置の独立した一形態によれば、下肢に装着されるアタッチメントと、前記アタッチメントに取り付けられ、下腿の背面をマッサージする脚エアーバッグと、足のくるぶしの下側かつ足の内側の部分をマッサージする内側足エアーバッグ、および、足のくるぶしの下側かつ足の外側の部分をマッサージする外側足エアーバッグと、を有し、前記内側足エアーバッグおよび前記外側足エアーバッグが踵の背面と対向しないように前記脚エアーバッグから分岐し、前記内側足エアーバッグの内部の空間、および、前記外側足エアーバッグの内部の空間が、それぞれ、前記脚エアーバッグの内部の空間と繋げられている。
【発明の効果】
【０００７】
本エアーマッサージ装置によれば、足に関する好ましいマッサージを実現できる。
【図面の簡単な説明】
【０００８】
【図１】実施形態のエアーマッサージ装置の斜視図。
【図２】実施形態のエアーマッサージ装置のブロック図。
【図３】実施形態のブーツの展開図。
【図４】実施形態のブーツの底面図。
【図５Ａ】展開されたブーツの背面側の斜視図。
【図５Ｂ】展開されたブーツの正面側の斜視図。
【図６】展開されたブーツの背面図。
【図７Ａ】実施形態の第２の複合エアーバッグの平面図。
【図７Ｂ】実施形態の第２の複合エアーバッグおよび関連する部品の平面図。
【図８】実施形態の補助具の斜視図。
【図９】実施形態の補助具の使用状態を示す模式図。
【図１０】実施形態のエアーマッサージ装置の第１の使用形態を示す斜視図。
【図１１】実施形態のエアーマッサージ装置の第２の使用形態を示す斜視図。
【発明を実施するための形態】
【０００９】
（本エアーマッサージ装置が取り得る形態の一例）
本エアーマッサージ装置の独立した一形態によれば、下肢に装着されるアタッチメントと、前記アタッチメントに取り付けられ、下腿の背面をマッサージする脚エアーバッグと、足のくるぶしの下側かつ足の内側の部分をマッサージする内側足エアーバッグ、および、足のくるぶしの下側かつ足の外側の部分をマッサージする外側足エアーバッグと、を有し、前記内側足エアーバッグおよび前記外側足エアーバッグが踵の背面と対向しないように前記脚エアーバッグから分岐し、前記内側足エアーバッグの内部の空間、および、前記外側足エアーバッグの内部の空間が、それぞれ、前記脚エアーバッグの内部の空間と繋げられている。
【００１０】
本エアーマッサージ装置を装着したユーザーによれば、足側部エアーバッグにより、足のくるぶしの下側の部分の内側および外側である対象部位が、踵の背面および踵の裏側の少なくとも一方よりも強くマッサージされる。このように、本エアーマッサージ装置によれば、強くマッサージすることを意図した対象部分をマッサージするとき、その対象部位の近くの部位が弱くマッサージされる、または、その対象部位の近くの部位がマッサージされない。このため、対象部位とその近くの部分とを含む部位が全体的に強くマッサージされる場合と比較して、ユーザーが対象部位において覚えるマッサージ感が強調される。このため、対象部位のマッサージ感を強調することを意図せずに単に足をマッサージする場合と比較して、より好ましいマッサージ感をユーザーに与えることができる。
【００１２】
本エアーマッサージ装置を装着したユーザーによれば、踵の背面が内側足エアーバッグおよび外側足エアーバッグにより実質的にマッサージされない。このため、対象部位のマッサージ感がより的確に強調される。
【００１４】
本エアーマッサージ装置によれば、内側足エアーバッグ、外側足エアーバッグ、および、脚エアーバッグにエアーを供給するための供給口の数を１つに設定することができる。このため、上記各エアーバッグが互いに独立している場合と比較して、装置の構成を簡略化しやすい。なお、このように供給口の数を１つに設定するか否かは、上記〔３〕のエアーマッサージ装置において任意の選択事項である。
【００１５】
前記エアーマッサージ装置に従属する一形態によれば、前記内側足エアーバッグ、前記外側足エアーバッグ、および、前記脚エアーバッグが、同一のエアーバッグの一部分である。
【００１６】
上記各エアーバッグが互いに独立している場合には、それらの相対的な位置関係が本装置の設計時に設計された関係からずれるおそれがある。そのような問題は、例えば、エアーマッサージ装置の製造時において各エアーバッグがアタッチメントに取り付けられるとき、または、エアーマッサージ装置が使用されているときに生じることが考えられる。一方、本エアーマッサージ装置では、上記〔４〕のとおりエアーバッグが構成されているため、上記各エアーバッグの相対的な位置関係が本装置の設計時に設計された関係からずれにくい。
【００１７】
前記エアーマッサージ装置に従属する一形態によれば、足の甲をマッサージする甲エアーバッグをさらに有し、前記内側足エアーバッグおよび前記外側足エアーバッグと、前記甲エアーバッグとが、互いに分離している。
【００１８】
本エアーマッサージ装置によれば、甲エアーバッグと足側部エアーバッグとを互いに独立して膨張させることができるため、より多様なマッサージ感をユーザーに与えることができる。また、対象部位をマッサージするときに、甲エアーバッグにより足の甲をマッサージする力を弱めること、または、甲エアーバッグにより足の甲をマッサージしないことにより、対象部位のマッサージ感を強調することができる。
【００１９】
前記エアーマッサージ装置に従属する一形態によれば、足の土踏まずをマッサージする足裏エアーバッグをさらに有し、前記内側足エアーバッグおよび前記外側足エアーバッグと、前記足裏エアーバッグとが、互いに分離している。
【００２０】
本エアーマッサージ装置によれば、足裏エアーバッグと足側部エアーバッグとを互いに独立して膨張させることができるため、より多様なマッサージ感をユーザーに与えることができる。また、対象部位をマッサージするときに、足裏エアーバッグにより土踏まずをマッサージする力を弱めること、または、足裏エアーバッグにより土踏まずをマッサージしないことにより、対象部位のマッサージ感を強調することができる。
【００２１】
前記エアーマッサージ装置に従属する一形態によれば、下肢に装着された前記アタッチメントと下肢との間に挿入するための補助具をさらに有し、前記補助具は、基盤、および、前記基盤の中央部分に形成されており、下肢に充てられる突起を有し、前記突起は、前記アタッチメントに取り付けられる複数のエアーバッグのうちの少なくとも１つが膨張することに伴い、下肢に強く押し付けられる。
内側足エアーバッグ、外側足エアーバッグ、脚エアーバッグ、甲エアーバッグ、および、足裏エアーバッグの少なくとも１つのエアーバッグが膨張することにともない、アタッチメントに引っ張る力が加えられる。このため、アタッチメントと下肢との間に補助具が挿入された状態において、そのような力がアタッチメントに作用したとき、補助具が下肢に強く押し付けられる。このため、ユーザーは、エアーバッグに加えて補助具が押し付けられた部分においてもマッサージ感を覚える。また、補助具を挿入する位置は、ユーザーが任意に設定できるため、本エアーマッサージ装置によれば、補助具により下肢の様々な部位をマッサージすることができる。
【００２２】
前記エアーマッサージ装置に従属する一形態によれば、前記補助具に取っ手が形成されている。
ユーザーは、下肢に装着されたアタッチメントと下肢との間に補助具を挿入した後にその位置を移動させるとき、または、挿入した補助具をアタッチメントと下肢との間から取り出すとき、取っ手を利用して補助具を取り扱うことができる。このため、補助具の取り扱いにともないユーザーが煩わしさを覚えるおそれが低減される。
【００２３】
（実施形態）
図１および図２を参照して、エアーマッサージ装置１の構成について説明する。
図１は、エアーマッサージ装置１の外観を示している。エアーマッサージ装置１は、下肢をマッサージするエアーバッグが取り付けられた一対のアタッチメントである一対のブーツ２０、および、エアーバッグの動作を制御するコントローラー１０を有する。エアーマッサージ装置１は、さらに、ブーツ２０とコントローラー１０とを互いに接続する２本のワイヤーハーネス７０、および、ブーツ２０と下肢との間に挿入される一対の補助具９０を有する。一対のブーツ２０の一方である右下肢用のブーツ２０、および、一対のブーツ２０の他方である左下肢用のブーツ２０は、左右対称の関係を有する。
【００２４】
図２は、エアーマッサージ装置１のブロック構成を示している。エアーマッサージ装置１は、各ブーツ２０等に加えてさらに次の構成要素を有する。エアーマッサージ装置１は、主として下腿の背面および足の側部をマッサージする第１の複合エアーバッグ１００、および、主として足裏および足の甲をマッサージする第２の複合エアーバッグ２００を有する。エアーマッサージ装置１は、さらに、ワイヤーハーネス７０と第１の複合エアーバッグ１００とを互いに接続するための接続部品８０、および、足裏を温めるためのヒーターユニット５０（図７Ｂ参照）を有する。
【００２５】
コントローラー１０は、各エアーバッグ１００，２００にエアーを供給するエアーポンプ１１、ならびに、各エアーバッグ１００，２００に関するエアーの供給および排出の状態を切り替える制御弁１２を有する。コントローラー１０は、さらに、エアーポンプ１１および制御弁１２を制御する制御部１３、および、エアーマッサージ装置１に搭載される各電動装置に電力を供給する電源回路１４を有する。コントローラー１０は、さらに、ワイヤーハーネス７０を接続するためのコネクター１５（図１参照）、および、電源回路１４に電力を供給するＡＣアダプターを接続するための電源コネクター１６（図１参照）を有する。コントローラー１０は、さらに、コントローラー１０の電源をオンおよびオフするためのスイッチ、および、マッサージの内容等に関するユーザーの要求を入力するためのスイッチを含む操作部１７を有する。
【００２６】
制御部１３は、各エアーバッグ１００，２００に下腿をマッサージさせるためにエアーポンプ１１および制御弁１２を制御するマッサージ制御を、操作部１７から受信した信号に基づいて実行する。
【００２７】
図３および図４を参照して、ブーツ２０の構成について説明する。
ブーツ２０は、その形状を保持することに適した剛性を有する強い主生地２１、下肢にソフトな肌触りを提供する内張２２、および、主生地２１と同じ性質を有し、主生地２１と別に形成された副生地２３を有する。ブーツ２０は、さらに、ブーツ２０の各部分を下肢にフィットさせるための複数の締部、すなわち、第１の脚締部３１、第２の脚締部３２、および、足締部４１を有する。
【００２８】
主生地２１は、ブーツ２０のうちの下腿を被覆する部分である脚被覆部分３０、および、ブーツ２０のうちの足を被覆する部分である足被覆部分４０を含み、ブーツ２０の骨格を形成する主要な部分に該当する。脚被覆部分３０は、下腿のおおよそ全体を被覆するように構成されている。足被覆部分４０は、足のうちの足指を除く部分を被覆するように構成されている。すなわち、ブーツ２０はオープントゥの形状を有する。
【００２９】
内張２２は、主生地２１の内面のおおよそ全体を覆うように、その縁が主生地２１の縁に縫い付けられている。副生地２３は、その一部分がブーツ２０の外観を形成し、他の部分が内張２２の内面側に配置されるように主生地２１および内張２２に縫い付けられている。
【００３０】
第１の脚締部３１は、脚被覆部分３０のうちの下腿の腓腹筋まわりに対応する部分に形成されている。第１の脚締部３１の形態の一例である面ファスナーは、内張２２の内面に縫い付けられたループ３１Ａ（図３参照）、および、主生地２１の外面に縫い付けられたフック３１Ｂ（図４参照）により構成されている。なお、下腿は、一例として、腓腹筋が主として存在する上方側の部分と、ヒラメ筋が主として存在する下方側の部分とに区分される。下腿のうちの腓腹筋まわりの部分は、そのうちの上方側の部分であり、脚被覆部分３０のうちの腓腹筋まわりに対応する部分は、その上方側の部分に対応する部分である。
【００３１】
第２の脚締部３２は、脚被覆部分３０のうちの下腿のヒラメ筋まわりに対応する部分に形成されている。第２の脚締部３２の形態の一例である面ファスナーは、副生地２３の内面に縫い付けられたループ３２Ａ（図３参照）、および、主生地２１の外面に縫い付けられたフック３２Ｂ（図４参照）により構成されている。なお、下腿のうちのヒラメ筋まわりの部分は、そのうちの下方側の部分であり、脚被覆部分３０のうちのヒラメ筋まわりに対応する部分は、下腿の下方側の部分に対応する部分である。
【００３２】
足締部４１は、足被覆部分４０のうちの足の甲と対向する部分から踵の側部に対向する部分までにわたり形成されている。また、足締部４１は、足の甲側から足首側に向かうにつれて足の甲の内側から甲の外側に向かうように足締部４１の縁が形成されている。足締部４１の形態の一例である面ファスナーは、内張２２の内面に縫い付けられたループ４１Ａ（図３参照）、および、主生地２１の外面に縫い付けられたフック４１Ｂ（図３参照）により構成されている。
【００３３】
第１の脚締部３１、第２の脚締部３２、および、足締部４１は、下肢の対応する部分を締める強さを個別に調整できるように形成されている。すなわち、脚被覆部分３０のうちの腓腹筋まわりに対応する部分を締める強さと、脚被覆部分３０のうちのヒラメ筋まわりに対応する部分を締める強さとを個別に調整できるように、第１の脚締部３１および第２の脚締部３２が互いに独立して形成されている。また、脚被覆部分３０の各部分を締める強さと、足被覆部分４０を締める強さとを個別に調整できるように、第１の脚締部３１および第２の脚締部３２と足締部４１とが互いに独立して形成されている。
【００３４】
第１の脚締部３１、第２の脚締部３２、および、足締部４１がそれぞれ締められているとき、ブーツ２０は、下肢を被覆するためのブーツ２０としての形状が保持される。一方、第１の脚締部３１、第２の脚締部３２、および、足締部４１がそれぞれ開けられているとき、ブーツ２０は、おおよそ正面側が脚被覆部分３０の端部から足被覆部分４０の端部までにわたり開放される。
【００３５】
図３は、ブーツ２０がそのように開放された状態を示している。脚被覆部分３０のうちの脛と対向する部分に、脚被覆部分３０の高さ方向に伸びるように脚被覆部分３０を縦断する切れ目である脚開き口３３が形成されている。足被覆部分４０のうちのおおよそ足の内側と対向する部分に、足被覆部分４０の前後方向に伸びるように足被覆部分４０を縦断する切れ目である足開き口４２が形成されている。図３に示される一例によれば、足被覆部分４０のうちの足首の外側に対応する部分から足親指の付け根付近と対応する部分までにわたり足開き口４２が形成されている。また、脚開き口３３および足開き口４２は、互いに連続するように形成されている。
【００３６】
図４に示されるとおり、ブーツ２０のアウトソール２５に、ブーツ２０の前後方向に伸びるように主生地２１の縁の一部分が互いに縫い合わせられた部分である縫合部２６が形成されている。
【００３７】
図５Ａおよび図５Ｂを参照して、ブーツ２０の展開構造について説明する。なお、図５Ａによれば、主生地２１が透過して表示されていることにより、主生地２１および内張２２に覆われた第１の複合エアーバッグ１００等が示されている。また、図５Ｂによれば、内張２２が透過して表示されていることにより、主生地２１および内張２２に覆われた第１の複合エアーバッグ１００等が示されている。
【００３８】
主生地２１のうちの足被覆部分４０の下方の縁は、中央部分から２方向に分岐している。その一方の縁と他方の縁とが互いに縫い合わせられることにより、縫合部２６（図４参照）が形成される。第２の複合エアーバッグ２００は、この縫合部２６上に取り付けられる。ヒーターユニット５０、および、踵を支持する踵支持部品６０が、第２の複合エアーバッグ２００上に取り付けられている。
【００３９】
ワイヤーハーネス７０は、脚被覆部分３０のうちの背面側の部分をその高さ方向に沿うように引き回されている。ワイヤーハーネス７０は、コントローラー１０（図１参照）と第１の複合エアーバッグ１００、第２の複合エアーバッグ２００、および、ヒーターユニット５０とを互いに接続する。
【００４０】
図６を参照して、第１の複合エアーバッグ１００の構成について説明する。なお、図６によれば、主生地２１が透過して表示されていることにより、主生地２１および内張２２に覆われた第１の複合エアーバッグ１００等が示されている。
【００４１】
第１の複合エアーバッグ１００は、互いに溶着された一対のシートにより構成されている。第１の複合エアーバッグ１００によれば、一対のシートの一部が互いに溶着された部分である溶着部１５０が形成され、その溶着部１５０に囲まれた領域に複数のエアーバッグが形成されている。さらに、第１の複合エアーバッグ１００における溶着部１５０の周囲にブランク１４０が形成されている。なお、図６に示されるドットは、溶着部１５０を示している。
【００４２】
第１の複合エアーバッグ１００に形成された複数のエアーバッグは、２つの脚エアーバッグ１１０、および、２つの足側部エアーバッグ１２０である。脚エアーバッグ１１０の一方である第１の脚エアーバッグ１１１は、下腿のうちの腓腹筋をマッサージする。脚エアーバッグ１１０の他方である第２の脚エアーバッグ１１２は、下腿のうちのヒラメ筋をマッサージする。
【００４３】
足側部エアーバッグ１２０の一方である外側足エアーバッグ１２１は、足のくるぶしの下側かつ足の外側の部分をマッサージする。足側部エアーバッグ１２０の他方である内側足エアーバッグ１２２は、足のくるぶしの下側かつ足の内側の部分をマッサージする。このため、外側足エアーバッグ１２１および内側足エアーバッグ１２２は、足のくるぶしの下側の部分を足の外側および内側から挟み込んでマッサージする。なお、足側部エアーバッグ１２０のより好ましい形態によれば、足のつぼである金門、崑崙、および、太谿をマッサージする。
【００４４】
ブランク１４０の一部である非膨張部分１３０が、外側足エアーバッグ１２１と内側足エアーバッグ１２２とを足の幅方向において互いに区画するように第２の脚エアーバッグ１１２の下方に形成されている。
【００４５】
このような第１の複合エアーバッグ１００がブーツ２０の脚被覆部分３０に取り付けられることにより、そのエアーバッグ１００の各部分がそれぞれ次のとおり脚被覆部分３０のうちの所定の位置に配置される。
【００４６】
第１の脚エアーバッグ１１１は、脚被覆部分３０のうちの腓腹筋と対応する部分に配置される。第２の脚エアーバッグ１１２は、脚被覆部分３０のうちのヒラメ筋と対応する部分に配置される。外側足エアーバッグ１２１は、脚被覆部分３０のうちの足のくるぶしの下側かつ足の外側の部分と対向する部分に配置される。内側足エアーバッグ１２２は、脚被覆部分３０のうちの足のくるぶしの下側かつ足の内側の部分と対向する部分に配置される。外側足エアーバッグ１２１および内側足エアーバッグ１２２は、脚被覆部分３０のうちの踵の背面と対向する部分を避けるように第２の脚エアーバッグ１１２から分岐する。
【００４７】
ブランク１４０の一部である挿入空間３４が、第１の脚エアーバッグ１１１が形成されている部分の中央部分に形成されている。接続部品８０のうちのベース８１の先端部分が、挿入空間３４の内部に挿入されている。ベース８１は、ワイヤーハーネス７０が固定されている。ベース８１は、ブーツ２０の形状を保持するための形状保持部品としての役割を持ち、硬質の樹脂材料により形成されている。接続部品８０のうちのカバー８２（図５Ａ参照）が、ベース８１の一部と嵌合されることにより、ベース８１に固定される。
【００４８】
図７Ａを参照して、第２の複合エアーバッグ２００の構成について説明する。
第２の複合エアーバッグ２００は、互いに溶着された一対のシートにより構成されている。第２の複合エアーバッグ２００によれば、一対のシートの一部が互いに溶着された部分である溶着部２８０が形成され、その溶着部２８０に囲まれた領域に複数のエアーバッグおよび複数の連通部分が形成されている。さらに、第２の複合エアーバッグ２００における溶着部２８０の周囲にブランク２７０が形成されている。なお、図７Ａおよび図７Ｂに示されるドットは、溶着部２８０を示している。
【００４９】
第２の複合エアーバッグ２００に形成された複数のエアーバッグは、２つの足裏エアーバッグ２１０、１つの内側エアーバッグ２２０、および、１つの甲エアーバッグ２３０である。足裏エアーバッグ２１０の一方である第１の足裏エアーバッグ２１１は、足裏のうちの足指の付け根をマッサージする。足裏エアーバッグ２１０の他方である第２の足裏エアーバッグ２１２は、足裏のうちの足の土踏まずをマッサージする。内側エアーバッグ２２０は、第２の足裏エアーバッグ２１２と連続して形成され、足の土踏まずを足の内側からマッサージする。甲エアーバッグ２３０は、足の甲をマッサージする。
【００５０】
第２の複合エアーバッグ２００に形成された複数の連通部分は、足裏連通部分２４０および側部連通部分２５０である。足裏連通部分２４０は、第１の足裏エアーバッグ２１１の内部の空間と第２の足裏エアーバッグ２１２の内部の空間とを互いに繋げている。側部連通部分２５０は、第１の足裏エアーバッグ２１１の内部の空間と甲エアーバッグ２３０の内部の空間とを互いに繋げている。
【００５１】
ブランク２７０の一部である非膨張部分２６０が、第１の足裏エアーバッグ２１１と第２の足裏エアーバッグ２１２とを足の甲の前後方向において互いに区画するように形成されている。
【００５２】
このような第２の複合エアーバッグ２００がブーツ２０（図１参照）の足被覆部分４０（図１参照）に取り付けられることにより、そのエアーバッグ２００の各部分がそれぞれ次のとおり足被覆部分４０のうちの所定の位置に配置される。
【００５３】
第１の足裏エアーバッグ２１１は、足被覆部分４０のうちの足指の付け根と対向するブーツ２０のインソール２４（図３参照）に配置される。第２の足裏エアーバッグ２１２は、足被覆部分４０のうちの足の土踏まずと対向するブーツ２０のインソール２４に配置される。内側エアーバッグ２２０は、足被覆部分４０のうちの足の土踏まずの内側と対向する部分に配置される。甲エアーバッグ２３０は、足被覆部分４０のうちの足の甲と対向する部分に配置される。
【００５４】
足裏連通部分２４０は、足被覆部分４０のうちの足の内側と対向する部分であって、足指の付け根と足の土踏まずとの間と対向するブーツ２０のインソール２４に配置される。側部連通部分２５０は、足被覆部分４０のうちの足の甲の外側と対向する部分であって、足の小指と接触しないように配置される。非膨張部分２６０は、足被覆部分４０のうちの足指の付け根と足の土踏まずとの間と対向する部分に配置される。
【００５５】
足裏連通部分２４０内の流路面積、および、側部連通部分２５０内の流路面積は、それぞれ、足裏エアーバッグ２１０内の流路面積、内側エアーバッグ２２０内の流路面積、および、甲エアーバッグ２３０内の流路面積よりも狭い。このため、足裏連通部分２４０および側部連通部分２５０のそれぞれが膨張したときのそれらの部分の厚さは、足裏エアーバッグ２１０、内側エアーバッグ２２０、および、甲エアーバッグ２３０と比較して十分に小さい。
【００５６】
図７Ｂを参照して、ヒーターユニット５０の構成について説明する。
足裏を温めるためのヒーターユニット５０が、非膨張部分２６０（図７Ａ参照）上に設置され、足被覆部分４０（図１参照）のうちの非膨張部分２６０に対応する部分とねじ留めされることにより固定されている。ヒーターユニット５０は、厚みを有する形状である。ヒーターユニット５０は、ヒーターユニット５０を温めるヒーター素子５１、および、ヒーター素子５１からの熱を足裏に伝達する伝熱部品５２を含む。ヒーターユニット５０は、ヒーターユニット５０の周囲を取り囲む支持台５３と一体的に構成されている。
【００５７】
伝熱部品５２は、ヒーターユニット５０の天面に形成され、支持台５３により固定されている。ヒーター素子５１は電線７４と接続されて、ヒーターユニット５０の底面に固定されたばね（図示略）に取り付けられている。このため、ヒーター素子５１はばねの反力により伝熱部品５２に押し付けられている。コントローラー１０からヒーター素子５１に電力が供給されることによりヒーター素子５１が熱を出力し、その熱が伝熱部品５２に伝達し、伝熱部品５２の熱が足裏に与えられる。電線７４は、第２の足裏エアーバッグ２１２と側部連通部分２５０との間を通過するように引き回されている。
【００５８】
踵支持部品６０は、足被覆部分４０のうちの踵と対向する部分に取り付けられている。踵支持部品６０の一例によれば、ねじにより足被覆部分４０に固定される。
図６を参照して、ワイヤーハーネス７０の構成について説明する。
【００５９】
ワイヤーハーネス７０は、第１のエアーチューブ７１、第２のエアーチューブ７２、第３のエアーチューブ７３、電線７４、第１の被覆チューブ７５、第２の被覆チューブ７６、および、コネクター７７（図１参照）を有する。コネクター７７は、コントローラー１０（図１参照）のコネクター１５（図１参照）に接続される。
【００６０】
第１のエアーチューブ７１は、制御弁１２（図２参照）と第１の複合エアーバッグ１００の第１の供給口１０１とを互いに接続する。第２のエアーチューブ７２は、制御弁１２と第１の複合エアーバッグ１００の第２の供給口１０２とを互いに接続する。第３のエアーチューブ７３は、制御弁１２と第２の複合エアーバッグ２００の供給口２０１（図７Ｂ参照）とを互いに接続する。電線７４は、コントローラー１０に内蔵された電源回路１４（図２参照）とヒーター素子５１（図２参照）とを互いに接続する。
【００６１】
第１の被覆チューブ７５および第２の被覆チューブ７６は、個別に形成され、それぞれ接続部品８０に固定されている。第１の被覆チューブ７５は、第１のエアーチューブ７１、第２のエアーチューブ７２、第３のエアーチューブ７３のうちの接続部品８０よりも上流側の部分、および、電線７４のうちの接続部品８０よりも上流側の部分を束ねて被覆している。第２の被覆チューブ７６は、第３のエアーチューブ７３のうちの接続部品８０よりも下流側の部分、および、電線７４のうちの接続部品８０よりも下流側の部分を束ねて被覆している。
【００６２】
図２を参照して、制御部１３による制御弁１２の制御の内容について説明する。
制御弁１２は、エアーポンプ１１と各エアーチューブ７１〜７３のそれぞれとを相互に接続するための回路、各エアーチューブ７１〜７３を閉鎖するための回路、および、各エアーチューブ７１〜７３を大気に開放するための回路を有する。
【００６３】
制御部１３は、制御弁１２内の回路を切り替えることにより、第１の脚エアーバッグ１１１と、第２の脚エアーバッグ１１２および足側部エアーバッグ１２０と、第２の複合エアーバッグ２００とのそれぞれに関するエアーの供給および排出の状態を変化させる。
【００６４】
制御部１３は、第１の脚エアーバッグ１１１を膨張させるとき、エアーポンプ１１と第１のエアーチューブ７１とが互いに接続されるように制御弁１２内の回路を設定する。このため、エアーポンプ１１から吐出された空気が、第１のエアーチューブ７１および第１の供給口１０１を介して第１の脚エアーバッグ１１１に流れ込む。このため、第１の脚エアーバッグ１１１が膨張する。制御部１３は、第１の脚エアーバッグ１１１を収縮させるとき、第１のエアーチューブ７１と繋がる通路が大気に開放されるように制御弁１２内の回路を設定する。このため、第１の脚エアーバッグ１１１内のエアーが第１の供給口１０１および第１のエアーチューブ７１を介して大気に排出される。このため、第１の脚エアーバッグ１１１が収縮する。
【００６５】
制御部１３は、第２の脚エアーバッグ１１２および足側部エアーバッグ１２０を膨張させるとき、エアーポンプ１１と第２のエアーチューブ７２とが互いに接続されるように制御弁１２内の回路を設定する。このため、エアーポンプ１１から吐出された空気が、第２のエアーチューブ７２および第２の供給口１０２を介して第２の脚エアーバッグ１１２に流れ込み、さらに、第２の脚エアーバッグ１１２から足側部エアーバッグ１２０に流れ込む。このため、第２の脚エアーバッグ１１２および足側部エアーバッグ１２０が膨張する。制御部１３は、第２の脚エアーバッグ１１２および足側部エアーバッグ１２０を収縮させるとき、第２のエアーチューブ７２と繋がる通路が大気に開放されるように制御弁１２内の回路を設定する。このため、第２の脚エアーバッグ１１２内および足側部エアーバッグ１２０内のエアーが第２の供給口１０２および第２のエアーチューブ７２を介して大気に排出される。このため、第２の脚エアーバッグ１１２および足側部エアーバッグ１２０が収縮する。
【００６６】
制御部１３は、足裏エアーバッグ２１０および甲エアーバッグ２３０を膨張させるとき、エアーポンプ１１と第３のエアーチューブ７３とが互いに接続されるように制御弁１２内の回路を設定する。このため、エアーポンプ１１から吐出された空気が、第３のエアーチューブ７３および供給口２０１を介して第２の足裏エアーバッグ２１２に流れ込む。さらに、第２の足裏エアーバッグ２１２内のエアーが、足裏連通部分２４０を介して第１の足裏エアーバッグ２１１に流れ込む。さらに、第１の足裏エアーバッグ２１１内のエアーが、側部連通部分２５０を介して甲エアーバッグ２３０に流れ込む。このため。足裏エアーバッグ２１０および甲エアーバッグ２３０が膨張する。制御部１３は、足裏エアーバッグ２１０および甲エアーバッグ２３０を収縮させるとき、第３のエアーチューブ７３と繋がる通路が大気に開放されるように制御弁１２内の回路を設定する。このため、足裏エアーバッグ２１０内および甲エアーバッグ２３０内のエアーが供給口２０１および第３のエアーチューブ７３を介して大気に排出される。このため、足裏エアーバッグ２１０および甲エアーバッグ２３０が収縮する。
【００６７】
図８を参照して、補助具９０の構成について説明する。
補助具９０は、第１の脚エアーバッグ１１１（図６参照）および第２の脚エアーバッグ１１２（図６参照）が下肢に与えるマッサージ感よりもさらに強いマッサージ感を局所的に与えるために用いられる。補助具９０は、下肢に充てられる突起９１、突起９１が取り付けられる基盤９２、および、基盤９２に形成されている取っ手９３を有する。突起９１は、基盤９２の中央部分に形成されている。
【００６８】
図９を参照して、補助具９０の使用状態について説明する。なお、図９に示されるハッチングは、ユーザーの下肢を示している。
補助具９０は、ブーツ２０と下肢との間に挿入される。取っ手９３の幅は、基盤９２の幅よりも狭い。また、基盤９２の天面から取っ手９３の天面までの高さは、基盤９２の天面から突起９１の天面までの高さよりも低い。このため、補助具９０がブーツ２０と下肢との間に挿入されたとき、基盤９２の天面と突起９１の天面との間にスペースが形成される。
【００６９】
図６、図７Ｂ、および、図１０を参照して、第１の使用形態について説明する。
ユーザーは、操作部１７を操作することにより、予めプログラムされたマッサージの形態のうちの１つを選択する。ここでは、一例として、予めプログラムされたマッサージの形態の１つである絞り上げマッサージパターンについて説明する。
【００７０】
はじめに、足裏エアーバッグ２１０、内側エアーバッグ２２０、および、甲エアーバッグ２３０へのエアーの供給を開始し、ヒーターユニット５０が熱を出力する。このため、足裏エアーバッグ２１０のうちの第１の足裏エアーバッグ２１１および第２の足裏エアーバッグ２１２が膨張することにより、足指の付け根および足の土踏まずがマッサージされる。
【００７１】
第１の足裏エアーバッグ２１１は、ヒーターユニット５０と一体的に構成されている支持台５３と接触している部分、および、支持台５３と接触していない部分が存在する。支持台５３と接触している部分は、第１の足裏エアーバッグ２１１の膨張にともない、支持台５３を傾かせる。このため、足のうちの支持台５３と接触している部分である足指の付け根と足の土踏まずとの間の部分が支持台５３によりマッサージされる。また、支持台５３と接触していない部分は、第１の足裏エアーバッグ２１１の膨張にともない、支持台５３と接触している部分よりも大きく膨張する。このとき、第１の足裏エアーバッグ２１１のうちの支持台５３と接触していない部分は、支持台５３の天面よりも高い位置まで膨張する。このため、足裏エアーバッグ２１０の膨張により、足指の付け根と足の土踏まずが足指の付け根と足の土踏まずとの間の部分よりも強くマッサージされる。
【００７２】
また、内側エアーバッグ２２０が膨張することにより、足の土踏まずが内側からマッサージされる。さらに、甲エアーバッグ２３０が膨張することにより、足の甲がマッサージされる。このとき、甲エアーバッグ２３０が足裏を第１の足裏エアーバッグ２１１および第２の足裏エアーバッグ２１２に押し付けることにより、第１の足裏エアーバッグ２１１および第２の足裏エアーバッグ２１２により与えられるマッサージ感が向上する。
【００７３】
そして、足裏エアーバッグ２１０、内側エアーバッグ２２０、および、甲エアーバッグ２３０へのエアーの供給が開始されてから所定の時間が経過した後、第２の脚エアーバッグ１１２、および、足側部エアーバッグ１２０へのエアーの供給が開始される。このため、足側部エアーバッグ１２０のうちの外側足エアーバッグ１２１と内側足エアーバッグ１２２とが膨張することにより、足のくるぶしの下側の部分を足の外側および内側から挟み込むようにマッサージされる。外側足エアーバッグ１２１および内側足エアーバッグ１２２は、脚被覆部分３０のうちの踵の背面と対向する部分を避けるように第２の脚エアーバッグ１１２から分岐している。このため、踵の背面は実質的にマッサージされない。また、踵の裏側は、踵支持部品６０が配置されているため、実質的にマッサージされない。このため、足のくるぶしの下側の部分が、踵の背面および踵の裏側よりも強くマッサージされる。また、第２の脚エアーバッグ１１２が膨張することにより、下腿のうちのヒラメ筋がマッサージされる。
【００７４】
そして、第２の脚エアーバッグ１１２、および、足側部エアーバッグ１２０へのエアーの供給が開始されてから所定の時間が経過した後、第１の脚エアーバッグ１１１へのエアーの供給が開始される。このため、第１の脚エアーバッグ１１１が膨張することにより、下腿のうちの腓腹筋がマッサージされる。
【００７５】
このようにして、ユーザーの足から腓腹筋にかけて絞り上げるようにマッサージされる。この絞り上げマッサージパターンによれば、血液および血液中の老廃物等を心臓側に押し上げることにより、脚のむくみを効果的に解消することに貢献する。
【００７６】
図６、図７Ｂ、および、図１１を参照して、第２の使用形態について説明する。
ユーザーは、操作部１７を操作する前に、ブーツ２０と下肢との間に補助具９０を挿入する。補助具９０を挿入する位置は、ユーザーにより任意に設定される。補助具９０を挿入する位置の一例は、脛の窪みである。ユーザーは、補助具９０を挿入した後、操作部１７を操作することにより、予めプログラムされたマッサージの形態のうちの１つを選択する。
【００７７】
マッサージが開始されたとき、脚エアーバッグ１１０、足側部エアーバッグ１２０、足裏エアーバッグ２１０、内側エアーバッグ２２０、および、甲エアーバッグ２３０のうちの少なくとも１つのエアーバッグが膨張する。これにともない、ブーツ２０に引っ張る力が加えられる。このため、ブーツ２０と下腿との間に補助具９０が挿入された状態において、そのような力がブーツ２０に作用したとき、補助具９０が下肢に強く押しつけられる。このため、押し付けられた部分が補助具９０によりマッサージされる。
【００７８】
エアーマッサージ装置１によれば、以下の作用および効果が得られる。
（１）エアーマッサージ装置１を装着したユーザーによれば、足側部エアーバッグ１２０により、足のくるぶしの下側の部分の内側および外側である対象部位が、踵の背面および踵の裏側のよりも強くマッサージされる。このように、エアーマッサージ装置１によれば、強くマッサージすることを意図した対象部分をマッサージするとき、その対象部位の近くの部位が弱くマッサージされる、または、その対象部位の近くの部位がマッサージされない。このため、対象部位とその近くの部分とを含む部位が全体的に強くマッサージされる場合と比較して、ユーザーが対象部位において覚えるマッサージ感が強調される。このため、対象部位のマッサージ感を強調することを意図せずに単に足をマッサージする場合と比較して、より好ましいマッサージ感をユーザーに与えることができる。
【００７９】
（２）エアーマッサージ装置１によれば、内側足エアーバッグ１２２、外側足エアーバッグ１２１、および、第２の脚エアーバッグ１１２にエアーを供給するための供給口の数が１つに設定されている。このため、上記各エアーバッグ１１２，１２１，１２２が互いに独立している場合と比較して、装置の構成を簡略化しやすい。
【００８０】
（３）外側足エアーバッグ１２１、内側足エアーバッグ１２２、および、第２の脚エアーバッグ１１２が互いに独立している場合には、それらの相対的な位置関係がエアーマッサージ装置１の設計時に設計された関係からずれるおそれがある。そのような問題は、例えば、エアーマッサージ装置１の製造時において各エアーバッグ１１２，１２１，１２２がブーツ２０に取り付けられるとき、または、エアーマッサージ装置１が使用されているときに生じることが考えられる。一方、エアーマッサージ装置１では、各エアーバッグ１１２，１２１，１２２がそれぞれ１つのエアーバッグの一部を構成している。このため、上記各エアーバッグ１１２，１２１，１２２の相対的な位置関係がエアーマッサージ装置１の設計時に設計された関係からずれにくい。
【００８１】
（４）エアーマッサージ装置１によれば、甲エアーバッグ２３０と足側部エアーバッグ１２０とを互いに独立して膨張させることができるため、より多様なマッサージ感をユーザーに与えることができる。また、対象部位をマッサージするときにおいて、甲エアーバッグ２３０により足の甲をマッサージする力を弱めること、または、甲エアーバッグ２３０により足の甲をマッサージしないことにより、対象部位のマッサージ感を強調することができる。
【００８２】
（５）エアーマッサージ装置１によれば、第２の足裏エアーバッグ２１２と足側部エアーバッグ１２０とを互いに独立して膨張させることができるため、より多様なマッサージ感をユーザーに与えることができる。また、対象部位をマッサージするときにおいて、第２の足裏エアーバッグ２１２により土踏まずをマッサージする力を弱めること、または、第２の足裏エアーバッグ２１２により土踏まずをマッサージしないことにより、対象部位のマッサージ感が強調される。
【００８３】
（６）脚エアーバッグ１１０、足側部エアーバッグ１２０、足裏エアーバッグ２１０、内側エアーバッグ２２０、および、甲エアーバッグ２３０のうちの少なくとも１つのエアーバッグが膨張することにともない、ブーツ２０に引っ張る力が加えられる。このため、ブーツ２０と下肢との間に補助具９０が挿入された状態において、そのような力がブーツ２０に作用したとき、補助具９０が下肢に強く押し付けられる。このため、ユーザーは、エアーバッグに加えて、補助具９０が押し付けられた部分においてもマッサージ感を覚える。また、補助具９０を挿入する位置は、ユーザーが任意に設定できるため、エアーマッサージ装置１によれば、補助具９０により下肢の様々な部位をマッサージすることができる。
【００８４】
（７）本エアーマッサージ装置１によれば、補助具９０が取っ手９３を有する。このため、ユーザーは、下肢に装着されたブーツ２０と下肢との間に補助具９０を挿入した後にその位置を移動させるとき、または、挿入した補助具９０をブーツ２０と下肢との間から取り出すとき、取っ手９３を利用して補助具９０を取り扱える。このため、補助具９０の取り扱いにともないユーザーが煩わしさを覚えるおそれが低減される。
【００８５】
（８）エアーマッサージ装置１を使用するユーザーは、自身の下肢とブーツ２０とのフィット感を確認しながら脚締部により脚被覆部分３０を締める強さ、および、足締部４１により足被覆部分４０を締める強さを個別に調整することができる。このため、複数のユーザーがエアーマッサージ装置１を使用する場合において、それぞれのユーザーが自身の下肢にブーツ２０のおおよそ全体をフィットさせ、その状態によりエアーバッグによるマッサージを受けることができる。このため、ユーザー毎の下肢の形状の違いに起因してマッサージの効果が低下するおそれが低減される。
【００８６】
（９）エアーマッサージ装置１によれば、第１の脚締部３１、第２の脚締部３２、および、足締部４１が面ファスナーである。このため、例えば、各脚締部３１，３２および足締部４１が紐により形成される場合と比較して、脚被覆部分３０および足被覆部分４０を締める強さをユーザーが容易に調整することができる。
【００８７】
（１０）脚締部の構成の一例として、脚被覆部分３０における下腿の腓腹筋まわりの部分に対応する部分、および、脚被覆部分３０における下腿のヒラメ筋まわりの部分に対応する部分を１つの脚締部により締める構成が挙げられる。一方、下腿の腓腹筋まわりの部分、および、下腿のヒラメ筋まわりの部分は、太さの違いが顕著に現れる。また、腓腹筋まわりの部分の太さが標準的な太さよりも太いユーザーによれば、上記各部分の太さの違いが一層顕著に現れる。このため、ユーザーが、上記一例の脚締部を有するブーツを装着する場合には、その脚締部を十分に締めても、脚被覆部分と下腿のヒラメ筋まわりの部分とが適切にフィットしないおそれがある。また、上記各部分の太さの違いが特に大きいユーザーによれば、脚被覆部分と下腿のヒラメ筋まわりの部分とのフィット感が一層低下するおそれがある。
【００８８】
エアーマッサージ装置１によれば、このような事項を踏まえ、第１の脚締部３１および第２の脚締部３２が構成されている。このため、エアーマッサージ装置１を使用するユーザーは、下腿の腓腹筋まわりの部分と脚被覆部分３０とのフィット感、および、下腿のヒラメ筋まわりの部分と脚被覆部分３０とのフィット感を確認しながら各脚締部３１，３２により脚被覆部分３０を締める強さを個別に調整することができる。このため、複数のユーザーがエアーマッサージ装置１を使用する場合において、それぞれのユーザーが自身の下腿に脚被覆部分３０をより確実にフィットさせ、その状態によりエアーバッグによるマッサージを受けることができる。
【００８９】
（１１）ブーツ２０によれば、脚被覆部分３０の高さ方向に伸びるように脚開き口３３が形成されている。このため、ユーザーは、脚開き口３３を開放することによりブーツ２０を容易に装着することができる。
【００９０】
（１２）ブーツ２０によれば、足被覆部分４０の前後方向に伸びるように足開き口４２が形成されている。このため、ユーザーは、足開き口４２を開放することによりブーツ２０を容易に装着することができる。
【００９１】
（１３）ブーツ２０によれば、脚開き口３３および足開き口４２が互いに連続するように形成されている。このため、ユーザーは、脚被覆部分３０の上縁から足被覆部分４０の前縁までにわたりブーツ２０を開放することができる。このため、ブーツ２０の装着性が一層高められる。
【００９２】
（１４）エアーマッサージ装置１によれば、ブーツ２０の骨格を形成する主要な部分が主生地２１により構成されている。このため、多数の生地を縫い合わせてブーツ２０の主要な部分が形成される場合と比較して、生地を立体縫製するときの縫い合わせ部分が少なくなる。このため、ブーツ２０の意匠性が高められる。
【００９３】
（１５）エアーマッサージ装置１によれば、ブーツ２０の他の部分と比較してユーザーにより比較的視認されにくいアウトソール２５に縫合部２６が形成されているため、ブーツ２０の意匠性がより高められる。
【００９４】
（１６）各脚締部３１，３２が脚被覆部分３０を締める強さ、および、足締部４１が足被覆部分４０を締める強さは、それぞれ、個別に好ましい強さに設定されることが好ましい。一方、各脚締部３１，３２が脚被覆部分３０を締める強さは、各脚締部３１，３２の面積に応じて変化し、足締部４１が足被覆部分４０を締める強さは、足締部４１の面積に応じて変化する。このため、それぞれの強さを好ましい強さに設定しようとした場合には、各脚締部３１，３２が形成される領域、および、足締部４１が形成される領域が互いに干渉することがある。このため、各脚締部３１，３２および足締部４１を含むブーツの主要な部分を同じ生地により形成する場合には、上記のような干渉を回避するために、各脚締部３１、３２および足締部４１の一方または両方の面積を、好ましい面積よりも狭く設定する必要が生じることがある。
【００９５】
一方、エアーマッサージ装置１によれば、このような事項を踏まえて主生地２１と別に形成された副生地２３が用いられるため、各脚締部３１，３２および足締部４１のそれぞれの面積を好ましい面積に設定することができる。このため、各脚締部３１，３２が脚被覆部分３０を締める強さ、および、足締部４１が足被覆部分４０を締める強さを、それぞれ好ましい強さに設定することができる。
【００９６】
（１７）エアーマッサージ装置１によれば、足側部エアーバッグ１２０がくるぶしの下側の部分をマッサージするため、ユーザーにより好ましいマッサージ感を与えることができる。また、足被覆部分４０のうちの足の甲と対向する部分から足側部エアーバッグ１２０が取り付けられている部分である踵の側部に対向する部分までにわたり足締部４１が形成されている。このため、足側部エアーバッグ１２０の全部が足締部４１によりしっかりと足に押し付けられるため、足側部エアーバッグ１２０が足に与えるマッサージ感が一層向上する。
【００９７】
（１８）エアーマッサージ装置１によれば、足の甲側から足首側に向かうにつれて足の甲の内側から甲の外側に向かうように足締部４１の縁が形成されている。エアーマッサージ装置１によれば、上記のとおり足締部４１の縁が形成されていることにより、足締部４１のうちの足首側の部分が足のより外側の部分に存在するため、ユーザーが足締部４１を締めるときにその部分を掴みやすい。このため、足締部４１を締めるときの作業性が向上する。
【００９８】
（１９）足指の付け根および足の土踏まずを強調してマッサージすることにより、足の土踏まずだけを強調してマッサージする場合と比較して足裏に好ましいマッサージ感を与えることができるとはいえ、次の点をさらに考慮することが好ましい。すなわち、足指の付け根、足の土踏まず、および、足指の付け根と足の土踏まずとの間の部分を含む部分を、足裏の他の部分よりも強調してマッサージしたとしても、その間の部分が強くマッサージされることにより、足指の付け根および足の土踏まずのマッサージ感が相対的に強調されにくくなる。
【００９９】
エアーマッサージ装置１によれば、このような事項を踏まえて、足指の付け根および足の土踏まずを足指の付け根と足の土踏まずとの間の部分よりも強くマッサージする足裏エアーバッグ２１０が構成されている。このため、足指の付け根および足の土踏まずのマッサージ感が強調されやすくなる。このため、足裏により好ましいマッサージ感を与えることができる。
【０１００】
（２０）エアーマッサージ装置１によれば、足裏連通部分２４０が、第１の足裏エアーバッグ２１１の内部の空間と第２の足裏エアーバッグ２１２の内部の空間とを互いに繋げている。このため、第１の足裏エアーバッグ２１１および第２の足裏エアーバッグ２１２が個別に形成される場合と比較して、足裏エアーバッグ２１０の構造が簡略化される。このため、足裏エアーバッグ２１０に関する生産性が向上する。
【０１０１】
（２１）エアーマッサージ装置１によれば、非膨張部分２６０が、足被覆部分４０のうちの足指の付け根と足の土踏まずとの間と対向する部分に配置されている。このため、非膨張部分２６０に相当する部分が、膨張し得る部分として形成されると仮定した場合と比較して、足指の付け根および足の土踏まずのマッサージ感が一層強調されやすくなる。
【０１０２】
（２２）エアーマッサージ装置１によれば、ヒーター素子５１が非膨張部分２６０上に設置されている。このため、ヒーター素子５１により足裏を温めながら足裏エアーバッグ２１０により足裏をマッサージすることができる。このため、人の手によるマッサージ感に類似したマッサージ感を足裏に与えることができる。また、足裏エアーバッグ２１０が膨張することによりヒーター素子５１に及ぼす影響を実質的に考慮する必要が生じないため、ヒーター素子５１の構成を様々な選択肢から選択することができる。
【０１０３】
（２３）エアーマッサージ装置１によれば、甲エアーバッグ２３０が足裏を第１の足裏エアーバッグ２１１および第２の足裏エアーバッグ２１２に押し付ける。このため、足裏エアーバッグ２１０が足裏を押す力が甲エアーバッグ２３０により支持されるため、足裏がより強くマッサージされる。このため、足裏により好ましいマッサージ感を与えることができる。
【０１０４】
（２４）エアーマッサージ装置１によれば、足裏連通部分２４０が、第１の足裏エアーバッグ２１１の内部の空間と第２の足裏エアーバッグ２１２の内部の空間とを互いに繋げている。また、側部連通部分２５０が、第１の足裏エアーバッグ２１１の内部の空間と甲エアーバッグ２３０の内部の空間とを互いに繋げている。このため、足裏エアーバッグ２１０および甲エアーバッグ２３０が個別に形成される場合と比較して、エアーバッグの構造が簡略化される。このため、エアーバッグに関する生産性が向上する。
【０１０５】
（２５）足指の爪先がエアーバッグにより押される場合には、ユーザーが覚える足指の圧迫感が強くなり、ユーザーが不快感を覚えるおそれがある。エアーマッサージ装置１によれば、このような事項を踏まえ、足の小指と接触しないように足の外側に側部連通部分２５０が形成されている。このため、足指の爪先が側部連通部分２５０により圧迫されることが回避され、ユーザーが不快感を覚えにくくなる。
【０１０６】
（２６）エアーマッサージ装置１によれば、電線７４が第２の足裏エアーバッグ２１２と側部連通部分２５０との間を通過するように引き回されている。このため、第２の足裏エアーバッグ２１２と側部連通部分２５０との境界が形成される。このため、第２の足裏エアーバッグ２１２と側部連通部分２５０とが直接的に繋げられる場合と比較して、第２の足裏エアーバッグ２１２による足裏のマッサージが強調されやすくなる。また、第２の足裏エアーバッグ２１２の後方側に電線７４が引き回れるため、その電線７４を電源回路１４と接続するためにブーツ２０の後方側において電線７４を引き回すことができる。このため、ユーザーがエアーマッサージ装置１を使用する場合に、電源回路１４と接続される電線７４がユーザーの動作を阻害しにくい。
【０１０７】
（２７）本願発明者が実施した試験によれば、土踏まずを足裏側からマッサージすることに加え、土踏まずを足の内側からさらにマッサージすることにより、ユーザーがより心地よいマッサージ感を覚えることが確認されている。エアーマッサージ装置１によれば、このような事項を踏まえ、足の土踏まずを足の内側からマッサージする内側エアーバッグ２２０がさらに含められている。このため、ユーザーにより心地よいマッサージ感を与えることができる。
【０１０８】
（２８）足指がエアーバッグにより内側から押される場合には、足の親指が足の人差し指に強く押し付けられることがある。さらには、足の人差し指、足の中指、および、足の薬指が、それぞれの足指の外側に存在する足指に強く押し付けられることがある。また、足指がエアーバッグにより外側から押される場合には、足の小指が足の薬指に強く押し付けられることがある。さらには、足の薬指、足の中指、および、足の人差し指が、それぞれの足指の内側の足指に強く押し付けられることがある。このように、足指が隣り合う足指に強く押し付けられた場合、ユーザーが覚える足指の圧迫感が強くなり、ユーザーが不快感を覚えるおそれがある。
【０１０９】
エアーマッサージ装置１によれば、このような事項を踏まえ、ブーツ２０のうちの足の親指の内側と対向する部分、および、足の小指の外側と対向する部分にエアーバッグが存在していない。このため、足指の内側、足指の外側、または、その両方が、エアーバッグにより圧迫されない。このため、ユーザーが不快感を覚えにくくなる。
【０１１０】
（２９）硬質の樹脂材料により形成されたベース８１が、第１の脚エアーバッグ１１１に取り付けられることにより、脚被覆部分３０のうちの背面側の部分に配置されている。このため、ブーツ２０のうちの背面側の部分の形状がベース８１により保持されるため、ブーツ２０の形状が崩れにくくなり、その意匠性が高められる。
【０１１１】
（３０）ワイヤーハーネス７０が、脚被覆部分３０のうちの背面側の部分をその高さ方向に沿うように引き回されている。このため、ブーツ２０のうちの背面側の部分の形状がワイヤーハーネス７０により保持されるため、ブーツ２０の形状が崩れにくくなり、その意匠性が高められる。
【０１１２】
（その他の実施形態）
本エアーマッサージ装置が取り得る具体的な形態は、上記実施形態に例示された形態に限定されない。本エアーマッサージ装置は、本発明の目的が達成される範囲において、上記実施形態とは異なる各種の形態を取り得る。以下に示される上記実施形態の変形例は、本エアーマッサージ装置が取り得る各種の形態の一例である。
【０１１３】
・脚の高さ方向における第１の脚締部３１の幅、および、脚まわりにおける第１の脚締部３１の長さは、任意の選択事項である。
・脚の高さ方向における第２の脚締部３２の幅、および、脚まわりにおける第２の脚締部３２の長さは、任意の選択事項である。
【０１１４】
・足の幅方向における足締部４１の幅、および、足の前後方向における足締部４１の長さは、任意の選択事項である。変形例の足締部４１によれば、足の甲側から足裏側までまわりこむように足締部４１が形成される。この変形例によれば、甲エアーバッグ２３０がより強く甲に押し付けられるため、甲エアーバッグ２３０が足に与えるマッサージ感が一層向上する。
【０１１５】
・変形例のブーツ２０によれば、第２の脚締部３２に代えて、または、第２の脚締部３２に加えて、第１の脚締部３１および足締部４１の少なくとも一方が、主生地２１とは別の生地により形成される。この別の生地は、副生地２３に準じて主生地２１に縫い付けられる。
【０１１６】
・変形例のブーツ２０は、その全体が１枚の主生地により形成される。なお、この変形例においても上記実施形態と同様に主生地に内張を縫い合わせることができる。
・変形例のブーツ２０によれば、足被覆部分４０のうちのおおよそ足の甲の中心と対向する部分において、足首に対応する部分から足指の付け根部分に対応する部分までにわたり足開き口４２が形成される。
【０１１７】
・変形例のブーツ２０によれば、脚被覆部分３０のうちの下腿の側面と対向する部分において脚被覆部分３０の高さ方向に伸びるように脚開き口３３が形成される。
・ブーツ２０に脚開き口３３を形成するか否かは、任意の選択事項である。
【０１１８】
・ブーツ２０に足開き口４２を形成するか否かは、任意の選択事項である。
・変形例のブーツ２０によれば、第１の脚締部３１、第２の脚締部３２、および、足締部４１のうちの少なくとも１つが、面ファスナーに代えて、紐またはボタンにより構成される。
【０１１９】
・ブーツ２０に第１の脚締部３１を形成するか否かは、任意の選択事項である。
・ブーツ２０に第２の脚締部３２を形成するか否かは、任意の選択事項である。
・変形例のブーツ２０は、第１の脚締部３１および第２の脚締部３２に代えて、大型の脚締部を有する。この脚締部は、第１の脚締部３１および第２の脚締部３２を結合した構造に相当する構造を有する。
【０１２０】
・第２の複合エアーバッグ２００に内側エアーバッグ２２０を形成するか否かは、任意の選択事項である。
・甲エアーバッグ２３０が膨張したときの形状は、任意の選択事項である。変形例の甲エアーバッグ２３０は、甲エアーバッグ２３０のうちの爪先側の部分が膨張したときの厚さが、甲エアーバッグ２３０のうちの足首側の部分が膨張したときの厚さよりも厚くなるように形成される。この変形例によれば、上記２箇所の厚さが同じ厚さに設定される場合と比較して、甲エアーバッグ２３０が足の爪先側の部分を押す力が強くなる。このため、甲エアーバッグ２３０が足の爪先側の部分を押す力と、甲エアーバッグ２３０が足の足首側の部分を押す力との差が生じにくくなり、足の甲の広い範囲が均一な強さでマッサージされやすくなる。
【０１２１】
・第２の複合エアーバッグ２００において電線７４を引き回す位置は、任意の選択事項である。変形例のブーツ２０によれば、内側エアーバッグ２２０の縁に沿うように電線７４が引き回される。
【０１２２】
・側部連通部分２５０を足の外側と対向する部分に形成するか否かは、任意の選択事項である。変形例の第２の複合エアーバッグ２００によれば、足の内側と対向する部分に側部連通部分２５０が形成される。
【０１２３】
・甲エアーバッグ２３０を第２の複合エアーバッグ２００に含めるか否かは、任意の選択事項である。
・甲エアーバッグ２３０を第１の足裏エアーバッグ２１１と繋げるか否かは、任意の選択事項である。変形例のエアーマッサージ装置１によれば、甲エアーバッグ２３０が第１の足裏エアーバッグ２１１から独立している。
【０１２４】
・ヒーター素子５１を非膨張部分２６０に配置するか否かは、任意の選択事項である。変形例のブーツ２０によれば、ヒーター素子５１の少なくとも一部が第１の足裏エアーバッグ２１１および第２の足裏エアーバッグ２１２の少なくとも一方の上に配置される。
【０１２５】
・ヒーターユニット５０に支持台５３を含めるか否かは、任意の選択事項である。
・ヒーターユニット５０がヒーター素子５１および伝熱部品５２により足裏を温めるか否かは、任意の選択事項である。変形例のヒーターユニット５０は、ヒーター素子５１および伝熱部品５２に代えて、例えばＰＴＣヒーターを有する。
【０１２６】
・非膨張部分２６０を第２の複合エアーバッグ２００に形成するか否かは、任意の選択事項である。変形例の第２の複合エアーバッグ２００によれば、実施形態の非膨張部分２６０に相当する部分が膨張できるように形成される。ただし、その部分は、土踏まずおよび足指の付け根の部分よりも弱い力で土踏まずと足指の付け根の部分との間の部分をマッサージするように構成される。これは、土踏まずおよび足指の付け根の部分のマッサージ感を強調することを意図している。
【０１２７】
・足裏連通部分２４０を第２の複合エアーバッグ２００に含めるか否かは、任意の選択事項である。
・第１の足裏エアーバッグ２１１および第２の足裏エアーバッグ２１２を第２の複合エアーバッグ２００に含めるか否かは、任意の選択事項である。
【０１２８】
・外側足エアーバッグ１２１および内側足エアーバッグ１２２を第１の複合エアーバッグ１００に含めるか否かは、任意の選択事項である。
・第１の足裏エアーバッグ２１１等とは別のエアーバッグを第２の複合エアーバッグ２００に含めるか否かは、任意の選択事項である。変形例の第２の複合エアーバッグ２００によれば、外側足エアーバッグ１２１および内側足エアーバッグ１２２が第１の複合エアーバッグ１００に含まれず、第２の複合エアーバッグ２００に含まれる。
【０１２９】
・第１の足裏エアーバッグ２１１および第２の足裏エアーバッグ２１２と甲エアーバッグ２３０とを１つのエアーバッグとして形成するか否かは、任意の選択事項である。
・足側部エアーバッグ１２０と甲エアーバッグ２３０とを個別に形成するか否かは、任意の選択事項である。
【０１３０】
・足側部エアーバッグ１２０および第２の脚エアーバッグ１１２を１つのエアーバッグとして形成するか否かは、任意の選択事項である。変形例のブーツ２０によれば、足側部エアーバッグ１２０が第１の複合エアーバッグ１００とは個別に形成され、かつ、その足側部エアーバッグ１２０がエアーチューブにより第２の脚エアーバッグ１１２と接続される。
【０１３１】
・エアーマッサージ装置１により踵の背面および踵の裏側の少なくとも一方をマッサージするか否かは、任意の選択事項である。ただし、踵の背面および踵の裏側の一方または両方をマッサージする変形例によれば、それらのマッサージされる部分は、足のくるぶしの下側の部分よりも弱くマッサージされる。これは、足のくるぶしの下側の部分のマッサージ感を強調することを意図している。
【０１３２】
・エアーマッサージ装置１に補助具９０を含めるか否かは、任意の選択事項である。
・補助具９０に取っ手９３を含めるか否かは、任意の選択事項である。
・ブーツ２０がオープントゥの形態を持つか否かは、任意の選択事項である。変形例のブーツ２０によれば、足の全体を被覆するように足被覆部分４０が構成される。
【０１３３】
・ブーツ２０に踵支持部品６０を取り付けるか否かは、任意の選択事項である。変形例のエアーマッサージ装置１によれば、踵支持部品６０が省略される。このエアーマッサージ装置１の変形例によれば、ユーザーが踵を置くための目印が内張２２に形成される。この目印は、例えば、内張２２にプリントすること、または、内張２２にシートを貼り付けることにより形成される。
【０１３４】
・変形例のブーツ２０は、足指の付け根を支持する付根支持部品をさらに有する。この付根支持部品は、アウトソール２５のうちの足指の付け根と対向する部分に取り付けられる。この変形例によれば、ユーザーがブーツ２０を装着したとき、ブーツ２０に対する足指の付け根の位置が付根支持部品により決められる。
【０１３５】
・変形例のブーツ２０は、その形状を保持するための別の形状保持部品をさらに有する。この形状保持部品は、例えば、硬質の樹脂材料により形成され、脚被覆部分３０の高さ方向に伸びる形状を有し、脚被覆部分３０のうちの脹脛と対向する部分に配置される。この変形例によれば、ブーツ２０の形状が一層崩れにくくなり、その意匠性がさらに高められる。また、第１の複合エアーバッグ１００が下腿を押す力が形状保持部品により受けられるため、下腿がより強くマッサージされ、下腿に与えられるマッサージ感が一層向上する。
【０１３６】
・変形例のブーツ２０は、脚被覆部分３０の上縁およびその付近の形状を保持するための別の形状保持部品をさらに有する。この形状保持部品は、例えば、軟質の樹脂材料により形成され、脚被覆部分３０の周方向に伸びる形状を有し、脚被覆部分３０の上縁およびその付近に配置される。軟質の樹脂材料の一例は、ポリプロピレンである。この変形例によれば、ブーツ２０の形状が一層崩れにくくなり、その意匠性がさらに高められる。
【０１３７】
（課題を解決するための手段に関する付記）
課題を解決するための手段は、下記の〔付記１〕〜〔付記９〕を含む。なお、〔付記１〕〜〔付記９〕に記載された事項は、実施形態において開示された事項と対応している。
【０１３８】
〔付記１〕ブーツ、ならびに、前記ブーツに取り付けられ、脚および足の少なくとも一方をマッサージするエアーバッグを有するエアーマッサージ装置であって、脚および足の形状に合わせて立体縫製された生地により前記ブーツが構成され、前記ブーツのうちの脚の正面と対向する部分が開放されるように前記ブーツの高さ方向に伸びる開口である脚開き口が形成され、前記脚開き口を閉じて前記ブーツを脚にフィットさせるための脚締部が前記ブーツに形成されているエアーマッサージ装置。
【０１３９】
〔付記２〕前記ブーツのうちの足の甲および側部の少なくとも一方と対向する部分が開放されるように前記ブーツの前後方向に伸びる足開き口が前記脚開き口と連続して形成され、前記足開き口を閉じて前記ブーツを足にフィットさせるための足締部が前記ブーツに形成されている前記付記１に記載のエアーマッサージ装置。
【０１４０】
〔付記３〕前記足開き口の一部が前記ブーツのインソールに予め固定されていることにより、足の指先を通すための空間が形成されている前記付記２に記載のエアーマッサージ装置。
【０１４１】
〔付記４〕前記ブーツのうちの脚の背面と対向する部分に、その形状を保持するための形状保持部品が取り付けられている前記付記１〜３のいずれか一項に記載のエアーマッサージ装置。
【０１４２】
〔付記５〕前記ブーツのインソールのうちの踵と対向する部分に、踵を支持するための踵支持部品が取り付けられている前記付記１〜４のいずれか一項に記載のエアーマッサージ装置。
【０１４３】
〔付記６〕前記ブーツのインソールのうちの足指の付け根と対向する部分に、足指の付け根を支持するための付根支持部品が取り付けられている前記付記１〜５のいずれか一項に記載のエアーマッサージ装置。
【０１４４】
〔付記７〕
前記ブーツの形状がオープントゥである前記付記１〜６のいずれか一項に記載のエアーマッサージ装置。
【０１４５】
〔付記８〕前記ブーツのうちの脚の正面と対向する部分を含む前記ブーツの主要な部分、または、前記ブーツの全部が１枚の生地により形成され、その生地のうちの前記ブーツのアウトソールに前記ブーツの前後方向に伸びる縫い目が形成されている前記付記１〜７のいずれか一項に記載のエアーマッサージ装置。
【０１４６】
〔付記９〕前記脚締部および前記足締部が前記脚開き口および前記足開き口を閉じて、前記ブーツが保持されているとき、前記脚締部の縁および前記足締部の縁の少なくとも一方が、脚または足の外側に形成される前記付記１〜８のいずれか一項に記載のエアーマッサージ装置。
【符号の説明】
【０１４７】
１…エアーマッサージ装置
９０…補助具
９３…取っ手
１１０…脚エアーバッグ
１２０…足側部エアーバッグ
１２１…外側足エアーバッグ
１２２…内側足エアーバッグ
２１０…足裏エアーバッグ
２３０…甲エアーバッグ
【図１】
0006012015.tif 000002
【図２】
0006012015.tif 000003
【図３】
0006012015.tif 000004
【図４】
0006012015.tif 000005
【図５Ａ】
0006012015.tif 000006
【図５Ｂ】
0006012015.tif 000007
【図６】
0006012015.tif 000008
【図７Ａ】
0006012015.tif 000009
【図７Ｂ】
0006012015.tif 000010
【図８】
0006012015.tif 000011
【図９】
0006012015.tif 000012
【図１０】
0006012015.tif 000013
【図１１】
0006012015.tif 000014